(57)【特許請求の範囲】
【請求項１】
移動端末にサウンディング基準信号（ＳＲＳ）を送信させることを動的にトリガーするために基地局において実行される方法であって、アップリンクサブフレームにおける所定のアップリンクシンボルがＳＲＳのために移動端末によって使用されるように構成されており、前記方法は、
前記移動端末が、アップリンク送信において、前記所定のアップリンクシンボルをデータ送信のために使用すべきか、使用すべきでないかを決定するステップと、
前記移動端末が前記所定のアップリンクシンボルをデータ送信のために使用すべきでないと決定されると、第１の命令であって、
前記移動端末が前記所定のアップリンクシンボルをデータ送信のために使用すべきでないことを示す第１部と、
前記第１部とは異なる第２部であって、
前記移動端末が前記所定のアップリンクシンボルをＳＲＳのために使用すべきこと、または、
前記所定のアップリンクシンボルをブランクのままに残しておくべきことを示す第２部と
を含む第１の命令を前記移動端末にシグナリングするステップと、
前記移動端末が前記所定のアップリンクシンボルをデータ送信のために使用すべきと決定されると、前記移動端末が前記所定のアップリンクシンボルをデータ送信のために使用すべきことを示す第２の命令を前記移動端末にシグナリングするステップとを有することを特徴とする方法。
【請求項２】
前記第１または第２の命令は、１つの後続のアップリンクサブフレームにおける前記所定のアップリンクシンボルについて有効な命令であることを特徴とする請求項１に記載の方法。
【請求項３】
前記第１または第２の命令は、複数の後続のアップリンクサブフレームにおける前記所定のアップリンクシンボルについて有効な命令であることを特徴とする請求項１に記載の方法。
【請求項４】
前記移動端末へのシグナリングは、物理ダウンリンク制御チャネルによって搬送されるダウンリンク制御情報として送信されることを特徴とする請求項１ないし３のいずれか１項に記載の方法。
【請求項５】
前記第１または第２の命令は、準静的に設定されているか、または、前記アップリンクサブフレームの機能であるＳＲＳパラメータを含んでいることを特徴とする請求項１ないし４のいずれか１項に記載の方法。
【請求項６】
前記第１または第２の命令は、アップリンクグラントによってシグナリングされることを特徴とする請求項１ないし４のいずれか１項に記載の方法。
【請求項７】
サウンディング基準信号（ＳＲＳ）を動的に送信するために移動端末において実行される方法であって、アップリンクサブフレームにおける所定のアップリンクシンボルがＳＲＳのために前記移動端末によって使用されるように構成されており、前記方法は、
前記移動端末が前記所定のアップリンクシンボルをデータ送信のために使用すべきでないと決定されると、第１の命令であって、
前記移動端末が前記所定のアップリンクシンボルをデータ送信のために使用すべきでないことを示す第１部と、
前記第１部とは異なる第２部であって、
前記移動端末が前記所定のアップリンクシンボルをＳＲＳのために使用すべきこと、または、
前記所定のアップリンクシンボルをブランクのままに残しておくべきことを示す第２部と
を含む第１の命令を受信するステップと、
前記移動端末が前記所定のアップリンクシンボルをデータ送信のために使用すべきと決定されると、前記移動端末が前記所定のアップリンクシンボルをデータ送信のために使用すべきことを示す第２の命令を受信するステップと
前記受信した命令に基づいて、前記所定のアップリンクシンボルで、データを送信すべきか、送信すべきでないかを判定するステップと、
前記判定の結果に応じてアップリンクで送信するステップと
を有することを特徴とする方法。
【請求項８】
前記第１または第２の命令は、１つの後続のアップリンクサブフレームにおける前記所定のアップリンクシンボルについて有効な命令であることを特徴とする請求項７に記載の方法。
【請求項９】
前記第１または第２の命令は、複数の後続のアップリンクサブフレームにおける前記所定のアップリンクシンボルについて有効な命令であることを特徴とする請求項７に記載の方法。
【請求項１０】
前記第１または第２の命令は、物理ダウンリンク制御チャネルによって搬送されるダウンリンク制御情報として受信されることを特徴とする請求項７ないし９のいずれか１項に記載の方法。
【請求項１１】
前記第１または第２の命令は、準静的に設定されているか、または、前記アップリンクサブフレームの機能であるＳＲＳパラメータを含んでいることを特徴とする請求項７ないし１０のいずれか１項に記載の方法。
【請求項１２】
前記第１または第２の命令は、アップリンクグラントによってシグナリングされることを特徴とする請求項７ないし１０のいずれか１項に記載の方法。
【請求項１３】
移動端末にサウンディング基準信号（ＳＲＳ）を送信させることを動的にトリガーする基地局であって、アップリンクサブフレームにおける所定のアップリンクシンボルがＳＲＳのために移動端末によって使用されるように構成されており、前記基地局は、
前記移動端末が、アップリンク送信において、前記所定のアップリンクシンボルをデータ送信のために使用すべきか、使用すべきではないかを決定するプロセッサと、
前記移動端末が前記所定のアップリンクシンボルをデータ送信のために使用すべきでないと決定されると、第１の命令であって、
前記移動端末が前記所定のアップリンクシンボルをデータ送信のために使用すべきでないことを示す第１部と、
前記第１部とは異なる第２部であって、
前記移動端末が前記所定のアップリンクシンボルをＳＲＳのために使用すべきこと、または、
前記所定のアップリンクシンボルをブランクのままに残しておくべきことを示す第２部と
を含む第１の命令を前記移動端末にシグナリングし、
前記移動端末が前記所定のアップリンクシンボルをデータ送信のために使用すべきと決定されると、前記移動端末が前記所定のアップリンクシンボルをデータ送信のために使用すべきことを示す第２の命令を前記移動端末にシグナリングする送信機と
を有することを特徴とする基地局。
【請求項１４】
サウンディング基準信号（ＳＲＳ）を動的に送信する移動端末であって、実行される方法であって、アップリンクサブフレームにおける所定のアップリンクシンボルがＳＲＳのために前記移動端末によって使用されるように構成されており、前記移動端末は、
前記移動端末が前記所定のアップリンクシンボルをデータ送信のために使用すべきでないと決定されると、第１の命令であって、
前記移動端末が前記所定のアップリンクシンボルをデータ送信のために使用すべきでないことを示す第１部と、
前記第１部とは異なる第２部であって、
前記移動端末が前記所定のアップリンクシンボルをＳＲＳのために使用すべきこと、または、
前記所定のアップリンクシンボルをブランクのままに残しておくべきことを示す第２部と
を含む第１の命令を受信する手段と、
前記移動端末が前記所定のアップリンクシンボルをデータ送信のために使用すべきと決定されると、前記移動端末が前記所定のアップリンクシンボルをデータ送信のために使用すべきことを示す第２の命令を受信する手段と
前記受信した命令に基づいて、前記所定のアップリンクシンボルで、データを送信すべきか、送信すべきでないかを判定する手段と、
前記判定の結果に応じてアップリンクで送信する手段と
を有することを特徴とする移動端末。
【発明の詳細な説明】
【技術分野】
【０００１】
本発明は、サウンディング基準シンボル（ＳＲＳ）を送信するための方法および構成に関する。
【背景技術】
【０００２】
サウンディング基準信号（ＳＲＳ）は、移動端末が使用しているアップリンクチャネルの品質を、基地局が推定できるように、移動端末によって送信される１つのタイプの基準信号である。長期的進化（ＬＴＥ）の場合には、移動端末はユーザ装置（ＵＥ）と呼ばれ、また基地局は、ｅＮＢと呼ばれる。チャネル推定は、アップリンクスケジューリングおよびリンクアダプテーション（リンク適合）に対して使用することができるとともに、ダウンリンクのマルチアンテナ送信に使用することもできる。特に、ＬＴＥにおけるＴＤＤ（時分割複信）に対して使用することができ、この場合には、アップリンクとダウンリンクとは、同一の周波数を使用する。サウンディング基準信号は、一部が技術仕様書３ＧＰＰＴＳ３６．２１１の中で規定されており、単一のＯＦＤＭ（直交周波数分割多重）シンボルの継続時間で送信される。ＬＴＥシステムのアップリンクでは、ＤＦＴＳ−ＯＦＤＭ（離散フーリェー変換拡散ＯＦＤＭ）と呼ばれる、特別なタイプのＯＦＤＭが使用される。
【０００３】
サウンディング基準信号は、１ｍｓのアップリンクサブフレームの最後のシンボルの中で送信することができる。これは、図１に示されており、ここでは、１０ｍｓのフレームが示されている。各フレームは、１０個のサブフレームに分割される。１つのサブフレームは、通常の巡回プレフィックスまたは拡張巡回プレフィックスが使用されるかによって、１２シンボルまたは１４シンボルを搬送することができる。ＬＴＥにおいては、アップリンクシンボルは、ＤＦＴＳ−ＯＦＤＭ（離散フーリェー変換拡散・直交周波数分割変調）シンボルであり、これはまた、ＳＣ−ＦＤＭＡ（単一搬送波周波数分割多元接続）とも呼ばれる。
【０００４】
ＴＤＤの場合に対しては、サウンディング基準信号は、ＵｐＰＴＳと呼ばれる特別なタイムスロットの中で送信することもできる。このＵｐＰＴＳは、１つの特別のサブフレームのアップリンク部分である。この特別なサブフレームは、さらに、ダウンリンク部分（ＤｗＰＴＳ）、およびガード時間を備えている。ＵｐＰＴＳの長さは、１または２シンボルに設定することができる。図２は、１０ｍｓの１無線フレームの中に３つのダウンリンクサブフレームと、２つのアップリンクサブフレームとを有するＴＤＤに対する１つの例を示す。８シンボルまでを、サウンディング基準信号のために取っておくことができる。
【０００５】
ＳＲＳ帯域幅、ＳＲＳ周波数領域位置、ＳＲＳホッピングパターン、およびＳＲＳサブフレーム構成等のＳＲＳシンボルの構成は、技術仕様書３ＧＰＰＴＳ３６．３３１の中で規定されているＲＲＣ情報要素の一部として、準静的に設定される。実際には、２つの異なる構成がある。
【０００６】
・セルに特化したＳＲＳ構成。これは、３ＧＰＰＴＳ３６．２１１の中でさらに詳細に記述されている。
【０００７】
・ＵＥに特化した構成。これは、３ＧＰＰＴＳ３６．２１３の中でさらに詳細に記述されている。
【０００８】
セルに特化した構成は、どのサブフレームの中で、サブフレームの最後のシンボル、または特別なスロット（ＵｐＰＴＳと呼ばれる）をサウンディングのために使用できるかを、セルの中の全てのＵＥに対して指示する。
【０００９】
通常のアップリンクサブフレームの中では、ＰＵＳＣＨ（物理アップリンク共有チャネル）送信は、セルに特化したサブフレームと周波数領域で重なり合っており、したがって、アップリンクにおけるデータ送信に対しては、最後のアップリンクシンボルは使用しないという意味で、短縮される。さらに、セルに特化したＳＲＳリソースが既に確保されている場合のサブフレームの中では、セルの中の端末は、ＡＣＫ／ＮＡＣＫまたはスケジューリング要求を送信するときには、短縮されたＰＵＣＣＨ（物理アップリンク制御チャネル）フォーマット（フォーマット１ａ／１ｂ／１と呼ばれている）を使用しなければならない。この短縮したＰＵＣＣＨフォーマットは、サブフレームの中の最後のシンボルが制御情報の送信には使用されないということを意味する。また、ＵＥがＳＲＳを送信するべきときには、適用するべきいくつかのルールがある。例えば、ＰＵＣＣＨフォーマット２を使用しているＣＱＩ（チャネル品質指示）報告が送信されているときには、ＵＥは、サブフレームの中でＳＲＳを送信してはならない。
【００１０】
ＵＥに特化した構成は、その名が示すとおりに、ＵＥに特有であり、ＳＲＳのために使用するべきサブフレームのパタンと周波数領域リソースとを、端末に対して指示する。ＵＥに特化した構成はまた、ＵＥがＳＲＳを送信するときに使用するべき他のパラメータ（周波数領域コム（ｆｒｅｑｕｅｎｃｙ  ｄｏｍａｉｎ  ｃｏｍｂ）および巡回シフト等）も指示する。
【００１１】
これは、異なる端末からのＳＲＳは、ＳＲＳを異なるサブフレームの中で送信することにより、時間領域の中で多重化することができるということを意味している。さらに、サウンディング基準信号は、同一のシンボルの中で、周波数領域で多重化することもできる。サブキャリアのセットは、２つのセットのサブキャリア、またはこれらの各セットの中の、それぞれ、偶数および奇数のサブキャリアを有するコムに分割される。さらに、ＵＥは、さらなる周波数分割多重（ＦＤＭ）を行うために、異なる帯域幅を有することができる。コムによって、異なる帯域幅を有し、また重なり合っている信号の周波数領域における多重化が可能になる。さらに符号分割多重（ＣＤＭ）を使用することもできる。これにより、異なるユーザは、基本ベースバンドシーケンスの異なるシフトを使用することにより、正確に同じ時間領域および周波数領域のリソースを使用することができる。多重化の可能性を示す例を図３に示す。ここでは、異なるユーザからのＳＲＳが、どのようにして周波数領域および時間領域において多重化することができるかを示している。
【発明の概要】
【発明が解決しようとする課題】
【００１２】
ＬＴＥリリース８／リリース９では、サウンディング基準信号の送信に対するリソースは、上位のレイヤーによってセルレベルの上に確保される。したがって、セルの中のユーザは、準静的に設定され、セルの中に確保されているリソースを使用して、サウンディング基準信号を送信する。リソースがサウンディングのために確保されているときには、これらのリソースは、セルから取られるので、したがってセルの中の全てのユーザから取られることになる。その結果、ＵＥがチャネルのサウンディングを行う必要があるか否かに拘わらず、リソースは、全てのユーザから取り去られて、データ送信に使用することができなくなる。
【００１３】
いくつかの数のユーザを有するセルでは、ＳＲＳ送信を行う周期は、ユーザの数とＳＲＳの帯域幅によって規定される。多くの数のユーザがＳＲＳリソースを共有している場合には、ＳＲＳ送信の周期は、あるユーザ（高速に変化するチャネルを有し、高い頻度のチャネルの更新を必要とするユーザ等）にとっては、非常に長くなる可能性がある。一方で、他のユーザにとっては、この周期は、非常に高い頻度となる可能性がある。
【００１４】
準静的なＳＲＳ送信の設定は、柔軟性に欠けているという点に注意することができる。この理由は、リソースには、ＵＥの現在の必要度にしたがって優先度を付けるということができないからである。したがって、本発明の実施形態の目的は、ＳＲＳ送信の柔軟な設定を提供することである。
【課題を解決するための手段】
【００１５】
これは、移動端末を動的に始動してＳＲＳを送信させることによって達成することができる。したがって、本発明の実施形態によって、リソースをセルレベルで準静的に確保する必要なく、任意のアップリンクサブフレームの中でＳＲＳを動的にトリガー（始動）することが可能になる。これは、サウンディング基準信号のために、移動端末が所定のアップリンクシンボルを未使用（ブランク）のまま残しておくべきか、またはそれをデータ送信に使用するべきかを、端末に対してシグナリングすることにより行うことができる。端末がサウンディング基準信号のために所定のアップリンクシンボルをブランクのまま残しておく場合には、２つの可能性が存在する。これらは、ＵＥは、１つのまたは複数のアンテナから、１つのまたは複数の基準信号を送信するか、または、端末は、別の端末がサウンディングのためにリソースを使用する可能性があるという理由で、所定のアップリンクシンボルをブランクのまま残しておくかである。
【００１６】
したがって、ある特定の実施形態では、端末に伝達することができる、少なくとも３つの異なるメッセージが存在する。これらは、所定のアップリンクシンボルをデータのために使用するようにというメッセージか、所定のアップリンクシンボルをブランクのまま残しておくようにというメッセージか、または、それをサウンディング基準信号のために使用するようにというメッセージかである。
【００１７】
本発明の実施形態の第１の観点に従えば、移動端末を動的に始動してＳＲＳを送信させるための、基地局における方法が提供される。アップリンクサブフレームの所定のアップリンクシンボルは、ＳＲＳのために移動端末が使用するように設定される。本方法では、移動端末が、アップリンク送信の間に、データ送信のために所定のアップリンクシンボルを使用するべきであるか否かが判定される。
【００１８】
したがって、移動端末が、アップリンク送信の間に、データ送信のために所定のアップリンクシンボルを使用するべきであるか否かを示す命令が、移動端末に対してシグナリングされる。シグナリングされた命令が、所定のアップリンクシンボルはデータ送信のために使用されるべきでないということを示している場合には、このシグナリングされた命令は、移動端末が所定のアップリンクシンボルをＳＲＳのために使用するべきか、または、所定のアップリンクシンボルをブランクのまま残しておくべきかを示す情報をさらに備えている。
【００１９】
本発明の実施形態の第２の観点に従えば、ＳＲＳを動的に送信するための移動端末における方法が提供される。アップリンクサブフレームの所定のアップリンクシンボルは、ＳＲＳのために移動端末が使用するように設定される。本方法では、移動端末は、移動端末がアップリンク送信の間に、データ送信のために所定のアップリンクシンボルを使用するべきであるか否かを示す命令を受信する。受信された命令が、所定のアップリンクシンボルはデータ送信のために使用されるべきでないという場合には、この受信された命令は、移動端末が所定のアップリンクシンボルをＳＲＳのために使用するべきか、または、所定のアップリンクシンボルをブランクのまま残しておくべきかを示す情報をさらに備えている。引き続くステップで、移動端末は、受信された命令に基づいて、所定のアップリンクシンボルの中で、データを送信するか否かを判定し、前記判定にしたがって、アップリンクの中で送信する。
【００２０】
本発明の実施形態の第３の観点に従えば、移動端末を動的に始動してＳＲＳを送信させる基地局が提供される。アップリンクサブフレームの所定のアップリンクシンボルは、ＳＲＳのために移動端末が使用するように設定される。基地局は、プロセッサと送信機とを備えている。プロセッサは、移動端末が、アップリンク送信の間に、データ送信のために所定のアップリンクシンボルを使用するべきであるか否かを判定するように構成され、また送信機は、移動端末が、アップリンク送信の間に、データ送信のために所定のアップリンクシンボルを使用するべきであるか否かを示す命令を、移動端末に対してシグナリングするように構成される。シグナリングされた命令が、所定のアップリンクシンボルはデータ送信のために使用されるべきでないということを示している場合には、シグナリングされた命令は、移動端末が所定のアップリンクシンボルをＳＲＳのために使用するべきか、または、所定のアップリンクシンボルをブランクのまま残しておくべきかを示す情報をさらに備えている。
【００２１】
本発明の実施形態の第４の観点に従えば、ＳＲＳを動的に送信するための移動端末が提供される。アップリンクサブフレームの所定のアップリンクシンボルは、ＳＲＳのために移動端末が使用するように設定される。移動端末は、受信機を備え、この受信機は、移動端末が、アップリンク送信の間に、データ送信のために所定のアップリンクシンボルを使用するべきであるか否かを示す命令を受信するように構成される。受信された命令が、所定のアップリンクシンボルはデータ送信のために使用されるべきでないということを示している場合には、受信された命令は、移動端末が所定のアップリンクシンボルをＳＲＳのために使用するべきか、または、所定のアップリンクシンボルをブランクのまま残しておくべきかを示す情報をさらに備えている。移動端末は、プロセッサと送信機とをさらに備える。プロセッサは、受信された命令に基づいて、所定のアップリンクシンボルの中でデータを送信するか否かを判定するように構成され、また送信機は、前記判定にしたがって、アップリンクの中で送信するように構成される。
【００２２】
本発明の実施形態が有する１つの利点は、ＳＲＳが必要になったときにはいつでも、ＳＲＳの使用に対する高い柔軟性が達成できるという点である。したがって、ＳＲＳリソースが準静的に確保されているサブフレームに限らず、任意のアップリンクサブフレームをＳＲＳのために使用することができる。
【００２３】
本発明の実施形態が有する更なる利点は、ユーザに基づいたＳＲＳ割り当てが提供されるという点であり、このＳＲＳ割り当ては、ＳＲＳ送信を必要としないユーザに対して、より公正なものである。
【００２４】
本発明の実施形態が有するさらに別の利点は、ＳＲＳが必要でないときには、ＳＲＳに対するリソースを確保する必要がないという点である。これは、より高い頻度でＳＲＳを送信する必要がある移動端末に対して、ＳＲＳに対してより多くのリソースを割り当てることができるということを意味している。
【００２５】
本発明の他の目的、利点、および新規な特徴は、以下に示す本発明の詳細な記述とともに、添付した図面および特許請求の範囲から、明らかになるであろう。
【図面の簡単な説明】
【００２６】
【図１】１０ｍｓのアップリンクフレームを示す図である。
【図２】１０ｍｓの１無線フレームの中に３ダウンリンクサブフレームと、２アップリンクサブフレームとを有するＴＤＤに対する１つの例を示す図である。
【図３】異なるユーザからのＳＲＳが、どのようにして周波数領域および時間領域において多重化することができるかを示す図である。
【図４】所定のアップリンクシンボルとして第４のシンボルを使用した例を示す図である。
【図５】本発明の１つの実施形態を示す図である。
【図６】データ送信に対して所定のアップリンクシンボルが使用されるべきである場合のアップリンク送信を示す図である。
【図７】第２の選択肢において、追加的なＳＲＳの送信を示す図である。
【図８】第３の選択肢において、移動端末が所定のアップリンクシンボルをブランクのまま残しておく場合を示す図である。
【図９】本発明の実施形態の更なる例におけるデータおよびＳＲＳの構成を示す図である。
【図１０】本発明の基地局における方法のフローチャートである。
【図１１】本発明の移動端末における方法のフローチャートである。
【図１２】本発明による移動端末と基地局とを示す図である。
【発明を実施するための形態】
【００２７】
以下の記述では、本発明の十分な理解を与えるために、非限定的かつ説明の目的で、特定な構成、インタフェース、技術等の、具体的詳細が記載されている。しかしながら、本発明は、他の実施形態によっても実行可能であり、これらは、ここに述べる具体的詳細から逸脱するものではない。他の点に関しては、公知のデバイス、回路、および方法に関する詳細な記述は、不必要な詳細によって本発明の説明を蒙昧なものにしないために、省略してある。
【００２８】
本発明は、本発明の実施形態によって説明を行う。これらの実施形態は、本発明の非限定的な実施例である。さらに、以下の実施形態は、ＬＴＥネットワークの状況の中で記述されているが、本発明の実施形態は、他のネットワークにも適用することができる。
【００２９】
ＳＲＳ送信に使用されるべき所定のアップリンクシンボルの例として、最後のシンボルが示されているが、所定のアップリンクシンボルとしては、サブフレームの中の任意の所定のアップリンクシンボルであってよいという点も注意するべきである。図４においては、第４のシンボルが所定のアップリンクシンボルの例として示されている。さらに、本発明の実施形態は、ＬＴＥの状況の中で例示されているので、アップリンクシンボルは、ＤＦＴＳ−ＯＦＤＭアップリンクシンボルである。しかしながら、当業者には、本発明の実施形態は、ＤＦＴＳ−ＯＦＤＭＡに限定されるものではないということが理解されるべきである。
【００３０】
上記で述べたように、現行のＬＴＥネットワーク（例えば、ＬＴＥリリース８／９）においては、ＳＲＳは、準静的に割り当てられた帯域幅および周期で送信される。将来のネットワークにおいては、ユーザ毎のＵＥアンテナの数は増加すると考えられる。これは、ＳＲＳに対するリソースが不足してくることを意味する。これによって、ＳＲＳに対する利用可能なリソースのより効率的な管理が必要になり、また使用頻度が低いリソースを確保しないようにすることがより重要になる。
【００３１】
さらに、チャネルの時間変動および周波数選択性、さらにはトラフィックのバースト性によって、いくつかのＵＥ、または１つのＵＥのいくつかのアンテナは、他のＵＥまたは他のアンテナと比較して、自分のチャネルをより高い頻度で更新する必要が生ずる可能性がある。しかし、トラフィックのバースト性にしたがって送信されるべきトラフィックが存在する場合には、典型的にはＳＲＳだけが必要になる。
【００３２】
より柔軟なＳＲＳ設定が必要であることに対する解決策として、現在の状況に基づいてＳＲＳ送信を動的に設定するための方法および構成が提供される。本発明の実施形態を使用することにより、ＵＥに特化したＳＲＳ設定を、動的に任意のサブフレームの上に行うことができる。
【００３３】
図５は、本発明の１つの実施形態を示す。図５の基地局５０１は、移動端末５０２を動的にトリガー（始動）してサウンディング基準信号（ＳＲＳ）を送信させるように構成される。ここでは、アップリンクサブフレームの所定のアップリンクシンボル（ＤＦＴＳ−ＯＦＤＭシンボル等）は、ＳＲＳのために移動端末が使用するように構成される。これは、移動端末がアップリンク送信の間に、データ送信のために所定のアップリンクシンボルを使用するべきであるか否かを、基地局５０１が判定することにより達成される。チャネルが急速に変化し（例えば、チャネルの時間変動および周波数選択性によって）、またトラフィックがバースト的である状況では、ＳＲＳ送信は、他の状況における場合よりも高い頻度で行われる必要がある。したがって、このことは、移動端末がアップリンク送信の間に、データ送信のために所定のアップリンクシンボルを使用するべきであるか否かを、基地局が判定する時に考慮に入れられる。したがって、基地局５０１は、移動端末がアップリンク送信の間に、データ送信のために所定のアップリンクシンボルを使用するべきであるか否かを示す命令（５０３）を、移動端末に対してシグナリングする。シグナリングされた命令が、所定のアップリンクシンボルはデータ送信のために使用されるべきでないという場合には、シグナリングされた命令は、移動端末がＳＲＳのために所定のアップリンクシンボルを使用するべきか、または、所定のアップリンクシンボルを未使用（ブランク）のまま残しておくべきかを示す情報をさらに備えている。図５に示されているように、シグナリングされた命令「０」（５０３ａ）は、「データを送信せよ」を意味し、「１１」（５０３ｂ）は、「ＳＲＳを送信せよ」を意味する。また、「１０」（５０３ｃ）は、所定のアップリンクシンボルはブランクのまま残しておくことを意味する。移動端末は、受信された命令（５０３）に基づいて、それにしたがって自分のアップリンクを設定する（５０４）。
【００３４】
したがって、ＵＥに対して動的なＳＲＳ設定をシグナリングする必要がある場合には、３つの選択肢がある。
【００３５】
第１の選択肢では、基地局は、所定のアップリンクシンボルの上のデータをパンクチャしないように（すなわち、データを送信するように）という情報を、移動端末に対してシグナリングする。第２の選択肢では、基地局は、所定のアップリンクシンボルの上のデータをパンクチャするように（すなわち、データを送信しないように）という情報を、移動端末に対してシグナリングする。そしてこの情報は、第２の選択肢にしたがってＳＲＳを送信させるための情報、また第３の選択肢にしたがって所定のアップリンクシンボルをブランクのまま残させるための情報を備えている。これらの３つの場合のシグナリングには、図５で示されているように、２ビットだけで十分である。
【００３６】
これらの命令を構成するときには、図５に示されているようにハイアラーキー構造になっている必要はないという点に注意するべきである。この場合、基地局から移動端末に対して送信することができる少なくとも３つの異なるメッセージがあればそれでよい。さらに、移動端末が１組の異なるＳＲＳパラメータを設定されて、異なるメッセージを使用してＳＲＳパラメータ（例えば、異なる帯域幅、または周波数領域の中の異なる周波数位置）を送信することができるという場合を想定することも可能である。この例を示すと、移動端末に対してシグナリングされる命令は、以下の場合を含むことができる。
１．所定のアップリンクシンボルの中でも、ＰＵＳＣＨの上でデータを送信するようにという命令。
２．所定のアップリンクシンボルの中では、ＰＵＳＣＨの上でいずれのデータも送信せず、それをブランクのまま残すようにという命令。
３．所定のアップリンクシンボルの中のＰＵＳＣＨの上では、いずれのデータも送信しないように。その代わりに、所定のアップリンクシンボルの中で、帯域幅ｂ１、コムｃ１、巡回シフトｓ１、および周波数領域出発位置ｆ１を有するＳＲＳを送信するようにという命令。
４．所定のアップリンクシンボルの中のＰＵＳＣＨの上では、いずれのデータも送信しないように。その代わりに、最後のシンボルの中で、帯域幅ｂ２、コムｃ２、巡回シフトｓ２、および周波数領域出発位置ｆ２を有するＳＲＳを送信するようにという命令。
【００３７】
次に図１０および図１１の説明を行う。図１０および図１１は、それぞれ、基地局および移動端末における本方法のフローチャートである。図１０は、ＳＲＳを送信するように移動端末を動的に始動する、基地局における方法を示す。アップリンクサブフレームの所定のアップリンクシンボルは、ＳＲＳのために移動端末が使用するように構成される。第１のステップにおいて、基地局は、移動端末がアップリンク送信の間に、データ送信のために所定のアップリンクシンボルを使用するべきであるか否かを判定する（３０１）。次のステップでは、基地局は、移動端末がアップリンク送信の間に、データ送信のために所定のアップリンクシンボルを使用するべきであるか否かを示す命令を、移動端末に対してシグナリングする（３０２）。シグナリングされた命令が、所定のアップリンクシンボルはデータ送信のために使用されるべきでないという場合には、シグナリングされた命令は、移動端末がＳＲＳのために所定のアップリンクシンボルを使用するべきか、または、所定のアップリンクシンボルをブランクのまま残しておくべきかを示す情報をさらに備えている。
【００３８】
動的にＳＲＳを送信するための、移動端末における方法を図１１に示す。上記で述べたように、アップリンクサブフレームの所定のアップリンクシンボルは、ＳＲＳのために移動端末が使用するように構成される。移動端末は、移動端末がアップリンク送信の間に、データ送信のために所定のアップリンクシンボルを使用するべきであるか否かを示す命令を受信する（３１０）。受信された命令が、所定のアップリンクシンボルはデータ送信のために使用されるべきでないという場合には、受信された命令は、移動端末がＳＲＳのために所定のアップリンクシンボルを使用するべきか、または、所定のアップリンクシンボルをブランクのまま残しておくべきかを示す情報をさらに備えている。移動端末は、受信した命令を解釈し、受信した命令に基づいて、所定のアップリンクシンボルの中でデータを送信するか否かを判定し（３１１）、前記判定にしたがって所定のアップリンクシンボルの中でＳＲＳを送信する（３１２）。
【００３９】
基地局からシグナリングされて移動端末のところで受信された命令は、引き続く１つのアップリンクサブフレームの所定のアップリンクシンボル、または引き続く複数のアップリンクサブフレームの所定のアップリンクシンボルに対して有効であってよい。
【００４０】
所定のアップリンクシンボルは、デフォルトとして、データ送信のために使用することができる。またはデフォルトとして、ＳＲＳのために使用することもできる。所定のアップリンクシンボルが、デフォルトとして、現在の移動端末または他の移動端末によってＳＲＳのために使用されている場合で、所定のアップリンクシンボルが、現在の移動端末によってブランクのまま残されている場合には、移動端末に対するシグナリング３０２は、所定のアップリンクシンボルがデータ送信のために使用されるべきである場合に実行される。現在の移動端末が、ＳＲＳを送信するべきか、または所定のアップリンクシンボルをブランクのまま残して、所定のアップリンクシンボルが他の移動端末によって使用できるようにするかは、基地局から命令することができる。
【００４１】
しかしながら、所定のアップリンクシンボルが、デフォルトとして、データ送信のために使用される場合には、移動端末に対するシグナリング３０２は、所定のアップリンクシンボルがデータ送信のために使用されるべきでない場合に実行される。このことは、基地局から移動局に対してシグナリングされた命令は、移動端末がＳＲＳを送信するべきか、または他の移動端末のために所定のアップリンクシンボルをブランクのまま残しておくべきかを示す情報を備えているということを意味している。
【００４２】
したがって、図１２を参照すると、基地局４０１は、プロセッサ４１０と送信機４１２とを備えている。プロセッサ４１０は、移動端末４０２がアップリンク送信の間に、データ送信のために所定のアップリンクシンボルを使用するべきであるか否かを判定するように構成され、送信機４１２は、移動端末４０２がアップリンク送信の間に、データ送信のために所定のアップリンクシンボルを使用するべきであるか否かを示す命令４１５を、移動端末４０２に対してシグナリングするように構成される。シグナリングされた命令４１５が、所定のアップリンクシンボルはデータ送信のために使用されるべきでないという場合には、シグナリングされた命令４１５は、移動端末がＳＲＳのために所定のアップリンクシンボルを使用するべきか、または、所定のアップリンクシンボルをブランクのまま残しておくべきかを示す情報をさらに備える。さらに、基地局は、受信機４１１を備え、受信機４１１は、移動端末４０２からのアップリンク送信を受信する。
【００４３】
本発明の１つの実施形態では、送信機４１２は、物理ダウンリンク制御チャネルが搬送するダウンリンク制御情報として、移動端末に対して命令４１５をシグナリングするように構成される。
【００４４】
さらに、移動端末は、受信機４２０を備え、受信機４２０は、移動端末４０２がアップリンク送信の間に、データ送信のために所定のアップリンクシンボルを使用するべきであるか否かを示す命令４１５を受信するように構成される。受信された命令が、所定のアップリンクシンボルはデータ送信のために使用されるべきでないという場合には、受信された命令は、移動端末４０２がＳＲＳのために所定のアップリンクシンボルを使用するべきか、または、所定のアップリンクシンボルをブランクのまま残しておくべきかを示す情報をさらに備えている。移動端末４０２は、プロセッサ４４０と送信機４３０とをさらに備えている。プロセッサ４４０は、受信された命令に基づいて、所定のアップリンクシンボルの中でデータを送信するか否かを判定するように構成され、送信機４３０は、前記判定にしたがって、所定のアップリンクシンボルの中でＳＲＳを送信するように構成される。
【００４５】
本発明の１つの実施形態では、受信機４２０は、物理ダウンリンク制御チャネルが搬送するダウンリンク制御情報として、命令４１５を受信するように構成される。
【００４６】
動的な設定を行う場合には、移動端末がアップリンク送信の間に、データ送信のために所定のアップリンクシンボルを使用するべきであるか否かを示す情報は、例えば、アップリンクスケジューリンググラントの中で送信され、これは、ダウンリンク制御情報（ＤＣＩ）フォーマット０の一部分である。このＤＣＩは、物理ダウンリンク制御チャネル（ＰＤＣＣＨ）によって搬送され、各サブフレームの中の１〜４ＯＦＤＭシンボルの上で送信される。これは、動的なＳＲＳ設定が、各サブフレームに相当する精度の分解能を有することができるということを意味している。
【００４７】
本発明の実施形態にしたがって動的に設定される基準信号は、例えば、周波数領域における、各第２のサブキャリアに、または各サブキャリアにマッピングすることができる。前者は、反復因数と呼ばれている因数の値を２として、ＬＴＥにおけるリリース８／９に対して規定されているサウンディング基準信号の場合であり、後者は、ＬＴＥにおけるリリース８／９に対するアップリンク復調基準信号の場合である。異なる移動端末アンテナに関連するＳＲＳは、ある特定のシーケンス（Ｚａｄｏｆｆ−Ｃｈｕシーケンス等）の異なる巡回シフトを使用して符号分割による多重化を行うことができる。
【００４８】
ＬＴＥにおいては、１０ｍｓの１つの無線フレームは、継続時間が１ｍｓの１０のサブフレームに分割され、各１ｍｓのサブフレームの中には、通常の巡回プレフィックス、または拡張巡回プレフィックスの長さのどちらが使用されるかにしたがって、１２または１４のＤＦＴＳ−ＯＦＤＭシンボルが送信される。これらは、図１および図４に示されている。上記で述べたように、動的に設定されたＳＲＳは、サブフレームの最後のアップリンクシンボルの中で送信される必要はなく、シンボルは、任意のアップリンクシンボルの中で、事前に規定することもできるし、動的または準静的に設定することもできる。また、１つのアップリンクシンボルに限らず、複数のアップリンクシンボルを使用することもできるという点にも注意するべきである。
【００４９】
本発明の実施形態にしたがって動的に設定されるＳＲＳは、自己完結にすることができる。これは、ＳＲＳはデータ送信のために割り当てられたリソース（すなわち、ＰＵＳＣＨリソース）の中で送信されるということを意味している。また、ＲＲＭ（無線リソース管理）パラメータを設定することにより、本発明の動的なＳＲＳに対する設定パラメータを、周期的ＳＲＳ送信における設定パラメータと同じに設定することができ、また、この設定を、ＲＲＣ（無線リソース制御）情報要素の一部分として、準静的に行うことができる。
【００５０】
本発明の実施形態によって提供される、動的に設定された非周期的ＳＲＳによって、サウンディングが必要な時に、ＳＲＳ送信を要求することができる。したがって、基地局は、ある特定のサブフレームの中で、ＳＲＳの送信を動的に要求することができる。例えば、要求は、アップリンクグラントの一部として行い、これによりＳＲＳは、データと同じサブフレームの中で送信することができる。シグナリングされる命令は、種々のパラメータを含むことができ、これらは、準静的に設定、したがって、サブフレームに依存した形として設定することができ、また、部分的にＰＵＳＣＨ割り当てによって決定することができ、または、部分的に動的にアップリンクグラントの中でシグナリングすることもできる。
【００５１】
しかしながら、セルに特化したリソースが確保されていない場合には、他のユーザは、サブフレームの所定のアップリンクシンボルの中でデータを送信することができるが、この場合には、ＳＲＳ送信と衝突する可能性がある。したがって、本発明の実施形態においては、移動端末に対しては、最後のシンボルをブランクのまま残しておくように、動的に命令することもでき、これにより、別の移動端末は、重なり合うことなくＳＲＳを送信することができる。
【００５２】
別の場合では、セルは、ＳＲＳに対するリソースを確保しておくことができる（例えば、最後のシンボルを）。これは、現在の移動端末（例えば、ＬＴＥリリース８／９のＵＥ）は、最後のシンボルをブランクのまま残しておかなければならないということを意味する。したがって、データ送信に使用できるシンボル数は減少する。同時に、本発明による移動端末は、基地局から命令された場合には、これらのリソースをデータ送信のために使用することができる。ＳＲＳリソースの割り当ては、基地局の制御のもとで行われ、基地局は、セルの中のどのユーザからＳＲＳが送信されるであろうかを知っている。したがって、サブフレームの中に動的にＳＲＳを設定する場合には、基地局は、ある移動端末に対しては、ＳＲＳを送信するように命令し、また同時に、指定したＳＲＳリソースの上でデータを送信しようとする他の移動端末に対しては、それらの移動端末のデータをパンクチャするように、すなわち、データを送信しないように命令する。
【００５３】
図６は、データ送信に対して所定のアップリンクシンボルが使用されるべきである場合のアップリンク送信５０４（図５）を示す。第１の選択肢（図５の５０３ａに対応している）に従った場合である。基準信号と書かれている黒文字は、ＳＲＳ以外の基準信号を示しており、これらのＳＲＳ以外の基準信号は、全てのアップリンク送信の中で使用される。したがって、図６は、従来技術に従った、追加的なＳＲＳ送信がない時のＰＵＳＣＨ送信の場合、および、本発明の実施形態にしたがって、所定のアップリンクシンボルを使用してデータ送信を行うように、移動端末が動的に命令された場合を示している。
【００５４】
さらに、第２の選択肢（図５の５０３ｂに対応している）においては、移動端末が追加的なＳＲＳを送信するべき場合（例えば、移動端末が動的にこれを行う（例えば、アップリンクの中の指示子によって）ように命令された場合）には、技術仕様書３ＧＰＰＴＳ３６．２１２によるスケジューリンググラントは、少なくとも３サブフレーム前の、ダウンリンクサブフレームの中で送信される。この追加的なＳＲＳの送信は、図７に示されている。
【００５５】
第３の選択肢（図５の５０３ｃに対応している）においては、移動端末は、所定のアップリンクシンボルをブランクのままに残しておくように命令され、したがって、別の移動端末がＳＲＳを送信するためにこのリソースを使用することができる。この送信は、図８に示されている。
【００５６】
次に、図９では、本発明の実施形態をさらに説明する例が示されている。この例では、３つの移動端末が１つのアップリンク（ＵＬ）サブフレームの中にスケジューリングされている。そして、移動端末１に対して動的なＳＲＳ送信が、ＰＵＳＣＨ（ＰＵＳＣＨ１と示されている）の上に設定されている。ここでは、移動端末１に対するＳＲＳ送信の帯域幅（ＳＲＳ１と示されている）は、移動端末１の帯域幅と移動端末２の帯域幅との合計をカバーしている。この場合には、移動端末１は、自分のデータをパンクチャして、終部にＳＲＳ１を挿入する必要があり、移動端末２は、自分のデータをパンクチャしなければならず、また移動端末３は、基地局からの命令にしたがって、自分の通常の動作を続けることができる（例えば、ＵＬスケジューリンググランによって）。図９は、データおよびＳＲＳの構成を示している。
【００５７】
ここで説明しているパンクチャとは、データが送信されないことと理解されるべきである。これは、符号速度または転送ブロックサイズが適応的に変化されるという意味でもある。主として意味するところは、所定のアップリンクシンボルの中では、データは送信されず、その代わりに、例えば、ＳＲＳを送信することができるということである。
【００５８】
また、ＳＲＳは、各第２のサブキャリアにマッピングすることができ、これは、反復因数と呼ばれている因数の値を２として、ＬＴＥにおけるリリース８／９に対して規定されているサウンディング基準信号の場合であり、または、各サブキャリアにマッピングすることもでき、これは、ＬＴＥにおけるリリース８／９に対するアップリンク復調基準信号の場合であるという点も注意されるべきである。
【００５９】
本発明は、本明細書に具体的に記載されている様式とは異なる様式で実行することもでき、これらは、本発明の必須な特徴から逸脱するものではない。本明細書に記載した実施形態は、全ての観点からして、事例として示されているものであり、限定を目的とするものではない。
【図１】
0005600358.tif 000002
【図３】
0005600358.tif 000003
【図４】
0005600358.tif 000004
【図５】
0005600358.tif 000005
【図１０】
0005600358.tif 000006
【図１１】
0005600358.tif 000007
【図１２】
0005600358.tif 000008
【図２】
0005600358.tif 000009
【図６】
0005600358.tif 000010
【図７】
0005600358.tif 000011
【図８】
0005600358.tif 000012
【図９】
0005600358.tif 000013